(57)【要約】      （修正有）【課題】被着体に所望する形状で転写することができ、所望する形状の隠蔽層を形成することができる転写層を備えた転写材を提供する。【解決手段】被着体上に形成された接着層を介して被着体に転写される転写層２を備え、該転写層が光に対して不透過性を有するように構成されている転写材１において、前記転写層は、光に対して不透過性を有する不透過層を備えており、前記接着層を覆うように被着体に積層された際の接着層との接触領域が接触領域以外の非接触領域から分離して被着体に転写可能に構成されている。【選択図】図１
2012166513.tif 000002
【特許請求の範囲】
【請求項１】
被着体上に形成された接着層を介して被着体に転写される転写層を備え、該転写層が光に対して不透過性を有するように構成されている転写材において、
前記転写層は、光に対して不透過性を有する不透過層を備えており、前記接着層を覆うように被着体に積層された際の接着層との接触領域が接触領域以外の非接触領域から分離して被着体に転写可能に構成されていることを特徴とする転写材。
【請求項２】
前記不透過層は、金属成分の薄膜から構成されることを特徴とする請求項１に記載の転写材。
【請求項３】
前記転写層は、前記不透過層の少なくとも一方の面を被覆する被覆層を備え、該被覆層上に金属成分を蒸着させることで前記不透過層が形成されることを特徴とする請求項１または２に記載の転写材。
【請求項４】
請求項１乃至３の何れか一項に記載の転写材から転写された転写層を備えることを特徴とするラベル。
【請求項５】
シート状に形成されたラベル本体上に接着層を介して転写層が転写されてなるラベルの製造方法において、
前記ラベル本体上に形成された接着層を覆うように請求項１乃至３の何れか一項に記載の転写材をラベル本体に積層し、転写層における接着層との接触領域から該接触領域以外の非接触領域を分離させることで、ラベル本体に転写層を転写することを特徴とするラベルの製造方法。
【発明の詳細な説明】
【技術分野】
【０００１】
本発明は、光に対して不透過性を有する転写層を備えた転写材に関する。また、該転写材から転写層が転写されてなるラベル、および該ラベルの製造方法に関する。
【背景技術】
【０００２】
従来から、物品の販売促進を図ること等を目的として物品に貼り付けられるシート状のラベル（キャンペーンラベル）などでは、片面が物品に貼り付けられた際に、物品の色彩が反対面側に透けてしまったり、ラベル自体の片面側の色彩や表示内容（商品名や内容物に関する説明、デザイン画等）が反対面側に透けてしまったりするのを防止する必要がある。このため、ラベルを形成するにあたって、ポリプロピレン等の樹脂に添加剤を分散させてシート状に形成した不透明なフィルム材が用いられている。
【０００３】
斯かる不透明なフィルム材は、例えば、物品情報等が両面に表示されている両面表示ラベルでは、一方の面側の表示内容を形成する第1印刷層と、他方の面側の表示内容を形成する第２印刷層との間に配置される。これにより、両面表示ラベルを一方の面側から見た際には、第２印刷層の表示内容が不透明なフィルム材によって隠蔽されると共に、両面表示ラベルを他方の面側から見た際には、第１印刷層の表示内容が不透明なフィルム材によって隠蔽されることとなる（特許文献１参照）。つまり、不透明なフィルム材が印刷層を隠蔽する隠蔽層として作用することとなる。
【先行技術文献】
【特許文献】
【０００４】
【特許文献１】特開２００５−１７３３０４号公報
【発明の概要】
【発明が解決しようとする課題】
【０００５】
しかしながら、印刷層の形状（印字される領域や図柄の形状）に対応した形状となるように隠蔽層を形成したい場合や、隠蔽層自体の形状を任意の形状に形成したい場合には、上記のような不透明なフィルム材では、任意の形状に破断することが困難であるため、所望する形状に形成することが困難となる。
【０００６】
そこで、本発明は、被着体に所望する形状で転写することができ、所望する形状の隠蔽層を形成することができる転写層を備えた転写材を提供することを課題とする。また、該転写材から転写層が転写されてなるラベルを提供すると共に、斯かるラベルの製造方法を提供することを課題とする。
【課題を解決するための手段】
【０００７】
本発明に係る転写材は、被着体上に形成された接着層を介して被着体に転写される転写層を備え、該転写層が光に対して不透過性を有するように構成されている転写材において、前記転写層は、光に対して不透過性を有する不透過層を備えており、前記接着層を覆うように被着体に積層された際の接着層との接触領域が接触領域以外の非接触領域から分離して被着体に転写可能に構成されていることを特徴とする。
【０００８】
斯かる構成によれば、前記転写層が光に対して不透過性を有する不透過層を備えていることで、転写層の片面側から反対面側への光の透過を遮断することができる。このため、転写層が被着体に転写されることで、転写層の一方の面側に位置する被着体の色彩や被着体に表示された表示内容が転写層の他方の面側に透けてしまうのを防止することができる。つまり、被着体の色彩等を隠蔽する隠蔽層として、転写層を作用させることができる。
【０００９】
また、例えば、転写層が印刷層上に転写されると共に、転写層上に印刷層が形成されるような場合には、転写層の一方の面側の印刷層の色彩等が転写層の他方の面側に透けてしまうのを防止することができると共に、転写層の他方の面側の印刷層の色彩等が転写層の一方の面側に透けてしまうのを防止することができる。つまり、転写層に形成された他の層の色彩等を隠蔽する隠蔽層として、転写層を作用させることができる。
【００１０】
また、前記接着層を覆うように転写層を被着体に積層された際の転写層における接着層との接触領域が該接触領域以外の非接触領域から分離して被着体に転写可能に構成されていることで、被着体の任意の領域にのみ、転写層を転写させることができる。具体的には、被着体における転写層を転写させたい領域のみに接着層を形成することで、転写層を転写させたい領域の形状に対応した接触領域が形成される。そして、該接触領域から非接触領域を分離することで、所望する領域の形状に対応した形状で転写層を転写することができる。
【００１１】
前記不透過層は、金属成分の薄膜から構成されることが好ましい。また、前記転写層は、前記不透過層の少なくとも一方の面を被覆する被覆層を備え、該被覆層上に金属成分を蒸着させることで前記不透過層が形成されることが好ましい。
【００１２】
斯かる構成によれば、金属成分の薄膜から不透過層が構成されることで、不透過層を金属成分の単一層から構成することができるため、不透過層の構成を単純なものにすることができる。また、不透過層が金属成分の蒸着によって形成されることで、不透過層の厚みが薄いものとなると共に、転写層を破断し易いものとすることができる。つまり、単純な構成で且つ容易に破断可能な転写層を形成することができる。
【００１３】
本発明に係るラベルは、上記何れかの転写材から転写された転写層を備えることを特徴とする。
【００１４】
本発明に係るラベルの製造方法は、シート状に形成されたラベル本体上に接着層を介して転写層が転写されてなるラベルの製造方法において、前記ラベル本体上に形成された接着層を覆うように上記何れかの転写材をラベル本体に積層し、転写層における接着層との接触領域から該接触領域以外の非接触領域を分離させることで、ラベル本体に転写層を転写することを特徴とする。
【発明の効果】
【００１５】
以上のように、本発明によれば、被着体に所望する形状で転写層を転写することができ、所望する形状の隠蔽層を形成することができる。
【図面の簡単な説明】
【００１６】
【図１】本実施形態に係る転写材の構成を示した断面図。
【図２】本実施形態に係るラベルの構成を示した断面図。
【図３】同実施形態のラベルを形成する際に、転写層を転写するコールドスタンプ方式の流れを示した概略図。
【発明を実施するための形態】
【００１７】
以下、本発明の実施形態について図１〜３を参照しながら説明する。
【００１８】
本実施形態に係る転写材１は、図１に示すように、被着体上に転写される転写層２と、該転写層２を保持する保持層３とから構成されている。本実施形態では、転写材１は、一方向が長手となるように帯状に形成された保持層３の一方の面の略全域に転写層２が積層されてなるものである。つまり、転写材１は、一方向が長手となるように長尺状に形成されている。
【００１９】
転写層２は、光に対して不透過性を有する（言い換えれば、光を透過させない）ように構成されている。具体的には、転写層２は、光に対して不透過性を有する不透過層２ａと、該不透過層２ａを覆うように形成された被覆層２ｂ，２ｂから構成されている。転写層２の厚みとしては、４〜３０μｍであることが好ましく、１０〜３０μｍであることが好ましい。
【００２０】
不透過層２ａは、一方の面側から他方の面側の色彩等を視認することができないように構成されている。本実施形態では、不透過層２ａは、金属成分が薄膜状に形成されてなるものであり、容易に破断可能に構成されている。不透過層２ａを形成する方法としては、特に限定されるものではなく、一般的な薄膜形成方法を用いることができる。例えば、真空蒸着法、スパッタリング法、イオンプレーティング法等を用いることができる。特に、コストが低く作業性がよい点から、真空蒸着法を用いることが好ましい。不透過層２ａを構成する金属成分としては、特に限定されるものではなく、アルミニウム、クロム、亜鉛、金、銀、プラチナ、ニッケルなどを用いることができる。不透過層２ａの厚みとしては、０．０３〜０．０８μｍであることが好ましく、０．０４〜０．０６μｍであることがより好ましい。
【００２１】
被覆層２ｂ，２ｂは、不透過層２ａの両面を覆うように形成されている。本実施形態では、被覆層２ｂ，２ｂは、不透過層２ａの色彩を隠蔽するためのインク層２１ｂ，２１ｂと、不透過層２ａとインク層２１ｂ，２１ｂとの間に形成されたアンカーコート層２２ｂ，２２ｂとから構成されている。
【００２２】
インク層２１ｂ，２１ｂは、不透過層２ａの両面の少なくとも一部の領域（本実施形態では、全面）を覆うように形成されている。インク層２１ｂ，２１ｂの色彩としては、特に限定されるものではなく、種々の色彩から選択することができる。例えば、転写層２上に製品情報等の印刷を施す場合には、印刷の内容を際立たせるために白色のインク層２１ｂ，２１ｂを形成してもよい。インク層２１ｂ，２１ｂを形成する方法としては、特に限定されるものではなく、一般的に用いられる印刷方法（例えば、シルク印刷、グラビア印刷、オフセット印刷、フレキソ印刷等）や、一般的に用いられる塗工方法（例えば、ロールコート、ダイコート等）を用いることができ、これらの方法によってアンカーコート層２２ｂ上、および保持層３上に塗料を印刷し、または塗布することでインク層２１ｂ，２１ｂを形成することができる。
【００２３】
アンカーコート層２２ｂ，２２ｂは、不透過層２ａとインク層２１ｂ，２１ｂとの間の接着性を向上させるものである。アンカーコート層２２ｂ，２２ｂを形成するアンカーコート剤としては、ポリエステル樹脂、イソシアネート樹脂、ウレタン樹脂、アクリル樹脂、エチレンビニルアルコール樹脂、ビニル変性樹脂、エポキシ樹脂、変性スチレン樹脂、変性シリコーン樹脂、およびアルキルチタネート等から１つまたは複数を選択して構成されたものを使用することができる。
【００２４】
アンカーコート層２２ｂ，２２ｂを形成する方法としては、特に限定されるものではなく、一般的な塗工方法を用いてアンカーコート剤を塗工する方法を用いることができる。例えば、ロールコート、グラビアコート、ナイフコート、ディップコート、スプレーコート等を用いることができる。アンカーコート層２２ｂ，２２ｂの厚さとしては、０．０５〜１０μｍであることが好ましく、０．１〜５μｍであることがより好ましい。
【００２５】
保持層３は、一方の面側に転写層２が積層されており、転写層２が被着体に転写されるまでは転写層２が積層された状態を保持し、転写層２が転写される際には転写層２から剥離するように構成されている。具体的には、保持層３は、シート状（具体的には、一方向が長手となる帯状）に形成された保持層基材３ａと該保持層基材３ａの一方の面に形成された剥離層３ｂとから構成されており、剥離層３ｂ上に転写層２が形成されている。
【００２６】
保持層基材３ａは、転写層２よりも破断し難く（強度が高く）なるように構成されている。保持層基材３ａを構成する素材としては、特に限定されるものではなく、例えば、ポリエチレン系樹脂、ポリプロピレン系樹脂、ポリ塩化ビニル系樹脂、ポリスチレン系樹脂、ポリエチレンテレフタレート等をシート状に形成した樹脂フィルムを用いることができる。これらのフィルムを一軸延伸や二軸延伸したものを用いることができる。保持層基材３ａの厚さとしては、４〜５０μｍであることが好ましく、１０〜２５μｍであることがより好ましい。
【００２７】
剥離層３ｂは、保持層３から転写層２が剥離し易くなるように設けられている。剥離層３ｂは、一般的に用いられる塗工方法（例えば、ロールコート、ダイコート等）を用いて、シリコーン樹脂やフッ素樹脂等からなる剥離剤を保持層基材３ａの一方の面に塗工することで形成することができる。剥離層３ｂの厚みとしては、０．０１μｍ〜５μｍであることが好ましく、０．０５μｍ〜３μｍであることがより好ましい。
【００２８】
次に、転写材１を形成する際の流れについて説明する。転写材１を形成する際には、長尺状に形成された保持層３を長手方向に沿って送りながら、保持層３上に転写層２を形成する。具体的には、保持層３における剥離層３ｂ上に、上述した方法によってインク層２１ｂを形成する。そして、形成されたインク層２１ｂ上に、上述した方法によってアンカーコート層２２ｂを形成する。これにより、保持層３上に被覆層２ｂが形成される。
【００２９】
次に、形成された被覆層２ｂ上に不透過層２ａを形成する。具体的には、被覆層２ｂが積層された状態の保持層３を、例えば真空蒸着装置内に導入し、被覆層２ｂ上に金属成分を蒸着させて不透過層２ａを形成する。
【００３０】
不透過層２ａを形成した後、不透過層２ａを覆うように被覆層２ｂを形成する。具体的には、不透過層２ａ上に上述した方法によってアンカーコート層２２ｂを形成し、該アンカーコート層２２ｂ上に上述した方法によってインク層２１ｂを形成する。これにより、不透過層２ａ上に被覆層２ｂが形成され、不透過層２ａの両面が被覆層２ｂ，２ｂによって覆われた転写層２が形成される。
【００３１】
以上により、保持層３上に転写層２が積層された長尺状の転写材１が形成される。該転写材１は、転写層２と保持層３との境界、詳しくは、保持層３側のインク層２１ｂと剥離層３ｂとの境界で、転写層２と保持層３とが分離可能となっている。また、転写層２は、任意の位置で容易に破断可能となっている。具体的には、転写層２が真空蒸着等によって形成された不透過層２ａと、インク層２１ｂおよびアンカーコート層２２ｂからなる被覆層２ｂとから構成されており、樹脂フィルムなどの基材を備えていないため、任意の位置で容易に破断させることが可能となっている。このため、転写層２は、被着体上に形成された接着層と接触した接触領域から該接触領域以外の非接触領域を容易に分離可能となっている。このような転写材１は、ロール上に巻き回された状態から巻き解かれつつ長手方向に沿って送り出されるようにして使用される。
【００３２】
次に、上記のように構成された転写材１を用いて、被着体に転写層２を転写する流れについて説明する。以下の説明では、転写材１を用いて転写層２が転写されてなるラベルを例に説明する。
【００３３】
本実施形態のラベルは、図２に示すように、物品に貼り付けられて物品に関連する情報や図柄等を表示するものである。具体的には、該ラベルは、一方の面側と他方の面側との両方に物品情報等を表示するように構成された両面表示ラベルＡであり、該両面表示ラベルＡは、物品から剥がすことによって物品側の表示内容も視認できるようにしたり、物品から突出するように物品に貼り付けられることで両面の表示内容を視認できるようにしたりすることが可能となっている。
【００３４】
本実施形態における両面表示ラベルＡの構成としては、物品情報等を表示する表示層Ａ１と、該表示層Ａ１が積層されたラベル本体Ａ２とから構成されている。また、両面表示ラベルＡは、一方向が長手となるように長尺状に形成された剥離紙Ｂ上に配置されており、剥離紙Ｂから剥がすことで物品に貼り付けられるものである。
【００３５】
表示層Ａ１は、ラベルの一方の面側に物品情報等を表示する一方側表示層Ａ１１と、ラベルの他方の面側に物品情報等を表示する他方側表示層Ａ１２と、一方側および他方側表示層Ａ１１，Ａ１２の間に配置された転写層２とから構成されている。これにより、一方側表示層Ａ１１の表示内容が転写層２を介してラベルの他方の面側に透けてしまうのが防止されると共に、他方側表示層Ａ１２の表示内容が転写層２を介してラベルの一方の面側に透けてしまうのが防止される。つまり、転写層２は、両面表示ラベルＡを一方の面側から見た際には、他方側表示層Ａ１２の表示内容を隠蔽する隠蔽層として作用し、両面表示ラベルＡを他方の面側から見た際には、一方側表示層Ａ１１の表示内容を隠蔽する隠蔽層として作用する。また、他方側表示層Ａ１２と転写層２との間には、接着層Ｇが形成されており、接着層Ｇによって転写層２がラベル本体Ａ２側に固着されている。
【００３６】
一方側表示層Ａ１１は、転写層２上に物品情報等を印刷することで形成された印刷層である。また、他方側表示層Ａ１２は、ラベル本体Ａ２上に物品情報等を印刷することで形成された印刷層である。つまり、転写層２は、他方側表示層Ａ１２上に転写されている。
【００３７】
ラベル本体Ａ２は、表示層Ａ１が積層されるラベル基材層Ａ２１と、該ラベル基材層Ａ２１に積層されたラベル粘着層Ａ２２とから構成されている。なお、ラベル本体Ａ２は、一方向が長手となるように長尺状に形成されたラベル本体Ａ２の原反が切断されることでシート状に形成されたものである。
【００３８】
ラベル基材層Ａ２１は、一方の面側に表示層Ａ１が形成されており、他方の面側にラベル粘着層Ａ２２が形成されている。ラベル基材層Ａ２１を構成する素材としては、特に限定されるものではなく、表示層Ａ１よりも強度が高い素材を用いることが好ましい。例えば、ポリエチレン系樹脂、ポリプロピレン系樹脂、ポリ塩化ビニル系樹脂、ポリスチレン系樹脂、ポリエチレンテレフタレート等をシート状に形成した透明フィルムが用いられる。ラベル粘着層Ａ２２を形成する粘着剤としては、ポリ酢酸ビニル、ポリアクリル酸エステルや、それらとエチレンとの共重合体、それらの混合物等を用いることができる。
【００３９】
次に、上記のような両面表示ラベルＡを形成する方法について説明する。まず始めに、剥離紙Ｂ上に積層されてロール状に巻き回された状態のラベル本体Ａ２の原反を巻き解きつつ長手方向に沿って送り出しながら、一方の面に物品情報等を印刷することで他方側表示層Ａ１２を形成する。本実施形態では、他方側表示層Ａ１２は、ラベル基材層Ａ２１の一方の面における略中央領域に形成されている。
【００４０】
次に、他方側表示層Ａ１２が印刷されたラベル本体Ａ２の原反に、転写材１から転写層２を転写する。つまり、他方側表示層Ａ１２が印刷されたラベル本体Ａ２の原反は、転写層２が転写される被着体Ｃとなる。具体的には、被着体Ｃ上に形成された接着層Ｇを覆うように転写層２を被着体Ｃに積層させ、転写層２における接着層Ｇとの接触領域から該接触領域以外の非接触領域を分離させることで、転写層２を被着体Ｃに転写する。本実施形態では、転写層２を転写する方法として、コールドスタンプ方式が用いられる。
【００４１】
コールドスタンプ方式を用いて転写層２を転写する方法について、図３を参照しつつ説明する。まず始めに、他方側表示層Ａ１２上の所定領域に接着層Ｇを形成する（接着層形成工程Ｓ１）。本実施形態では、接着層Ｇは、他方側表示層Ａ１２上の任意の領域に形成されている。接着層Ｇとしては、紫外線硬化型の接着剤が用いられる。接着層Ｇを形成する方法としては、紫外線硬化型の接着剤を種々の印刷方式（インクジェット方式等）によって、他方側表示層Ａ１２上に印刷する方法を用いることができる。斯かる方法を用いることで、接着層Ｇの平面視における形状を様々な形状に容易に形成することができる。これにより、転写層２を転写したい領域のみに接着層Ｇを容易に形成することができる。
【００４２】
紫外線硬化型の接着剤は、紫外線を照射することで接着力を発現するものである。このため、転写材１を被着体Ｃ（具体的には、他方側表示層Ａ１２）に積層させる前に、接着層Ｇに紫外線を照射して接着力を発現させておく（紫外線照射工程Ｓ２）。そして、この状態の接着層Ｇに転写層２が接触するように転写材１を被着体Ｃに積層させる（転写材積層工程Ｓ３）。この際、転写層２と接着層Ｇとの接触領域２’は、平面視において転写層２の内側の領域に形成されている。
【００４３】
上記のように転写材１が被着体Ｃ（具体的には、他方側表示層Ａ１２）に積層されることで、転写層２における接着層Ｇとの接触領域２’がラベル本体Ａ２の原反側（具体的には、他方側表示層Ａ１２）に固着される。そして、転写材１における接触領域２’から非接触領域２’’を離間させることで、転写層２は、接触領域２’と非接触領域２’’との境界線上で破断され、接触領域２’と非接触領域２’’とが分離することとなる。これにより、転写層２における接着層Ｇとの接触領域２’が被着体Ｃ（具体的には、他方側表示層Ａ１２）上に転写される（転写工程Ｓ４）。つまり、転写層２は、接着層Ｇの平面視における形状、本実施形態では他方側表示層Ａ１２の平面視における形状に対応した形状で被着体Ｃ上に転写される。
【００４４】
コールドスタンプ方式を用いることで、接着層形成工程Ｓ１、紫外線照射工程Ｓ２、転写材積層工程Ｓ３、転写工程Ｓ４を連続的に行うことができるため、一方側および他方側表示層Ａ１１，Ａ１２を形成する工程を行いつつ、転写層２の転写を行うことができる。このため、ホットスタンプ方式を採用した場合よりも生産性が良好となる。
【００４５】
そして、被着体Ｃ上に転写された転写層２上に一方側表示層Ａ１１を形成する。具体的には、転写層２上に物品情報等を印刷することで一方側表示層Ａ１１を形成する。本実施形態では、一方側表示層Ａ１１は、転写層２の一方の面の略全域に形成されている。
【００４６】
上記のように形成された積層体を、両面表示ラベルＡとなる領域とその他の領域との間の境界線上で、剥離紙Ｂを残して切断する。そして、両面表示ラベルＡとならないその他の領域を剥離紙Ｂから剥離して取り除く。これにより、剥離紙Ｂ上に両面表示ラベルＡが形成される。
【００４７】
以上のように形成された両面表示ラベルＡは、一方側表示層Ａ１１と他方側表示層Ａ１２との間に転写層２が位置しているため、ラベルの一方の面側の表示内容（一方側表示層Ａ１１によって表示される物品情報等）を他方の面側から視認することができなくなっている。また、ラベルの他方の面側の表示内容（他方側表示層Ａ１２によって表示される物品情報等）を一方の面側から視認することができなくなっている。つまり、ラベルの一方の面側の表示内容が転写層２によって他方の面側から隠蔽されていると共に、ラベルの他方の面側の表示内容が転写層２によって一方の面側から隠蔽されている。
【００４８】
以上のように、本発明にかかる転写材によれば、被着体に所望する形状で転写層を転写することができ、所望する形状の隠蔽層を形成することができる。
【００４９】
即ち、前記転写層２が光に対して不透過性を有する不透過層２ａを備えていることで、転写層２の片面側から反対面側への光の透過を遮断することができる。このため、転写層２が被着体Ｃに転写されることで、転写層２の一方の面側に位置する被着体Ｃの色彩や被着体Ｃに表示された表示内容が転写層２の他方の面側に透けてしまうのを防止することができる。つまり、被着体Ｃの色彩等を隠蔽する隠蔽層として、転写層２を作用させることができる。
【００５０】
また、転写層２の一方の面側の印刷層の色彩等が転写層２の他方の面側に透けてしまうのを防止することができると共に、転写層２の他方の面側の印刷層の色彩等が転写層２の一方の面側に透けてしまうのを防止することができる。つまり、転写層２に積層された他の層の色彩等を隠蔽する隠蔽層として、転写層２を作用させることができる。
【００５１】
また、転写層２における接着層Ｇとの接触領域２’が非接触領域２’’から分離して被着体Ｃに転写可能に構成されていることで、被着体Ｃの任意の領域にのみ、転写層２を転写させることができる。具体的には、被着体Ｃにおける転写層２を転写させたい領域のみに接着層Ｇを形成することで、転写層２を転写させたい領域の形状に対応した接触領域２’が形成される。そして、該接触領域２’から非接触領域２’’を分離することで、所望する領域の形状に対応した形状で転写層２を転写することができる。
【００５２】
また、不透過層２ａが金属成分の薄膜から構成されることで、不透過層２ａを金属成分の単一層から構成することができるため、不透過層２ａの構成を単純なものにすることができる。また、不透過層２ａが金属成分の蒸着によって形成されることで、不透過層２ａの厚みが薄いものとなると共に、転写層２を破断し易いものとすることができる。つまり、単純な構成で且つ容易に破断可能な転写層２を形成することができる。
【００５３】
また、転写層２の厚みが従来技術の不透明なフィルム材よりも薄くなるため、転写材１を巻き回してロール状に形成した際の巻き数を増やすことができる。さらに、不透明なフィルム材を用いていないことによって、巻き解いた際に転写材１に生じる反りを低減することができる。また、転写層２が転写されることで形成されたラベルの厚みも薄くなるため、長尺状の剥離紙Ｂ上に複数のラベルが形成されたラベル原反を容易に巻き回してロール状に形成することができる。さらに、転写層１に不透明なフィルム材が用いられていないため、ラベルの反りを低減することができると共に、ラベル自体の剛性（反発力）を低減することができる。
【００５４】
なお、本発明に係る保持具は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５５】
例えば、上記実施形態では、不透過層２ａの両面を被覆層２ｂ，２ｂが覆っているが、これに限定されるものではなく、不透過層２ａの片面のみが被覆層２ｂで覆われてもよい。また、不透過層２ａのみで転写層２が構成されてもよい。
【００５６】
また、上記実施形態では、転写材１は、被着体Ｃに転写されることで、両面表示ラベルＡの形成に用いられているが、これに限定されるものではなく、様々な被着体に対して使用することができる。例えば、物品自体に印刷が施されている場合には、直接物品に転写層２を転写して印刷内容を隠蔽し、転写層２を剥がすことで、印刷内容を視認できるようにしてもよい。
【００５７】
また、上記実施形態では、不透過層２ａとインク層２１ｂとの間にアンカーコート層２２ｂが形成されているが、これに限定されるものではなく、不透過層２ａとインク層２１ｂとの接着性が良好であるならば、アンカーコート層２２ｂを設けなくてもよい。
【００５８】
また、上記実施形態では、転写材１は、両面表示ラベルＡの形成に用いられているが、これに限定されるものではなく、片面側のみに物品情報等を表示するように構成された片面表示ラベルの形成に用いることもできる。例えば、両面表示ラベルＡにおける一方側または他方側表示層Ａ１１，Ａ１２のどちらか一方を形成しないことによって片面表示ラベルを形成することができる。また、他方側表示層Ａ１２を形成せずに片面表示ラベルを形成する場合には、ラベル基材層Ａ２１として様々な色彩のフィルムを使用することができる。または、一方側または他方側表示層Ａ１１，Ａ１２の両方を設けずに、転写層２をラベル本体Ａ２上に直接転写して、隠蔽ラベルを形成してもよい。
【００５９】
また、上記実施形態では、転写層２を転写する方法として、コールドスタンプ方式を用いているが、これに限定されるものではなく、例えば、ホットスタンプ方式を採用することもできる。この場合、転写層２における被着体Ｃ側となる面（被着体側面）の全域に接着層を形成する。該接着層は、転写ヘッド（転写版や転写ロール）からの熱によって接着性を発現する接着剤から構成されており、転写ヘッドによって転写材１が被着体Ｃに圧着された状態で加熱されることで、転写層２が被着体Ｃに転写されるようにしてもよい。
【００６０】
また、上記実施形態の接着層Ｇに代えて、圧着式の接着剤を用いて接着層を形成してもよい。この場合、被着体Ｃに転写材１を積層した状態で、転写材１における接着層との接触領域を被着体Ｃに押し付けることで、転写層２がラベル本体Ａ２側に固定されるため、転写層２を容易に転写させることができる。
【００６１】
また、上記実施形態では、接着層Ｇに紫外線を照射した後、転写材１を積層しているが、これに限定されるものではなく、被着体Ｃに転写材１を積層した後、被着体Ｃ側から紫外線を照射して接着層Ｇの接着性を発現させてもよい。
【００６２】
上記実施形態では、転写材１が長尺状に形成されているが、これに限定されるものではなく、枚葉体状の転写材１を形成してもよい。例えば、枚葉体状に形成された保持層上に転写層２を形成することで、枚葉体状の転写材１を形成してもよい。
【００６３】
また、上記実施形態では、転写層２が一方側および他方側表示層Ａ１１，Ａ１２と略等しい面積で形成されているが、これに限定されるものではなく、転写層２の平面視における内側領域に一方側および他方側表示層Ａ１１，Ａ１２が形成されてもよい。この場合、接着層Ｇを他方側表示層Ａ１２上だけでなく、その周囲のラベル基材層Ａ２１上にも形成して転写層２の転写が行われる。
【００６４】
また、上記実施形態のラベル粘着層Ａ２２における剥離紙Ｂ側の面の一部に、ラベル粘着層Ａ２２の粘着力を消失させる糊殺し層を設けても良い。これにより、糊殺し層が設けられていない領域のみに粘着力を残した両面表示ラベルを形成することができる。
【符号の説明】
【００６５】
１…転写材、２…転写層、２ａ…不透過層、２ｂ…被覆層、３…保持層、３ａ…保持層基材、３ｂ…剥離層、２１ｂ…インク層、２２ｂ…アンカーコート層、Ａ…両面表示ラベル、Ａ１…表示層、Ａ１１…一方側表示層、Ａ１２…他方側表示層、Ａ２…ラベル本体、Ａ２１…ラベル基材層、Ａ２２…ラベル粘着層、Ｂ…剥離紙、Ｃ…被着体、Ｇ…接着層、Ｓ１…接着層形成工程、Ｓ２…紫外線照射工程、Ｓ３…転写材積層工程、Ｓ４…転写工程
【図１】
2012166513.tif 000003
【図２】
2012166513.tif 000004
【図３】
2012166513.tif 000005
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
被着体上に形成された接着層を介して被着体に転写される転写層を備え、該転写層が光に対して不透過性を有するように構成されている転写材において、
前記転写層は、光に対して不透過性を有する不透過層と、該不透過層を覆うように形成されて不透過層の色彩を隠蔽する被覆層とを備え、前記接着層を覆うように被着体に積層された際の接着層との接触領域が接触領域以外の非接触領域から分離して被着体に転写可能に構成されていることを特徴とする転写材。
【請求項２】
前記不透過層は、前記被覆層上に金属成分を蒸着させることで形成されることを特徴とする請求項１に記載の転写材。
【請求項３】
前記被覆層は、不透過層の色彩を隠蔽するインク層と、該インク層と前記不透過層との間に形成されたアンカーコート層とを備えることを特徴とする請求項１または２に記載の転写材。
【請求項４】
請求項１乃至３の何れか一項に記載の転写材から転写された転写層と、該転写層の少なくとも一方の面側に物品情報等が印刷されてなる印刷層とを備え、該印刷層と前記不透過層との間に前記被覆層が位置することを特徴とするラベル。
【請求項５】
シート状に形成されたラベル本体上に接着層を介して転写層が転写されてなるラベルの
製造方法において、
前記ラベル本体上に形成された接着層を覆うように請求項１乃至３の何れか一項に記載
の転写材をラベル本体に積層し、転写層における接着層との接触領域から該接触領域以外
の非接触領域を分離させることで、ラベル本体に転写層を転写することを特徴とするラベ
ルの製造方法。
【手続補正２】
【補正対象書類名】明細書
【補正対象項目名】０００７
【補正方法】変更
【補正の内容】
【０００７】
本発明に係る転写材は、被着体上に形成された接着層を介して被着体に転写される転写層を備え、該転写層が光に対して不透過性を有するように構成されている転写材において、前記転写層は、光に対して不透過性を有する不透過層と、該不透過層を覆うように形成されて不透過層の色彩を隠蔽する被覆層とを備え、前記接着層を覆うように被着体に積層された際の接着層との接触領域が接触領域以外の非接触領域から分離して被着体に転写可能に構成されていることを特徴とする。
【手続補正３】
【補正対象書類名】明細書
【補正対象項目名】００１１
【補正方法】変更
【補正の内容】
【００１１】
前記不透過層は、前記被覆層上に金属成分を蒸着させることで形成されることが好ましい。
【手続補正４】
【補正対象書類名】明細書
【補正対象項目名】００１２
【補正方法】変更
【補正の内容】
【００１２】
斯かる構成によれば、不透過層を金属成分の単一層から構成することができるため、不透過層の構成を単純なものにすることができる。また、不透過層が金属成分の蒸着によって形成されることで、不透過層の厚みが薄いものとなると共に、転写層を破断し易いものとすることができる。つまり、単純な構成で且つ容易に破断可能な転写層を形成することができる。
【手続補正５】
【補正対象書類名】明細書
【補正対象項目名】００１３
【補正方法】変更
【補正の内容】
【００１３】
本発明に係るラベルは、上記何れかの転写材から転写された転写層と、該転写層の少なくとも一方の面側に物品情報等が印刷されてなる印刷層とを備え、該印刷層と前記不透過層との間に前記被覆層が位置することを特徴とする。
【手続補正６】
【補正対象書類名】明細書
【補正対象項目名】００５５
【補正方法】変更
【補正の内容】
【００５５】
例えば、上記実施形態では、不透過層２ａの両面を被覆層２ｂ，２ｂが覆っているが、これに限定されるものではなく、不透過層２ａの片面のみが被覆層２ｂで覆われてもよい。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
被着体上に形成された接着層を介して被着体に転写される転写層を備え、該転写層が光に対して不透過性を有するように構成されている転写材において、
前記転写層は、光に対して不透過性を有する不透過層と、該不透過層を覆うように形成されて不透過層の色彩を隠蔽する被覆層とを備え、前記接着層を覆うように被着体に積層された際の接着層との接触領域が接触領域以外の非接触領域から分離して被着体に転写可能に構成されていることを特徴とする転写材。
【請求項２】
前記不透過層は、前記被覆層上に金属成分を蒸着させることで形成されることを特徴とする請求項１に記載の転写材。
【請求項３】
前記被覆層は、不透過層の色彩を隠蔽するインク層と、該インク層と前記不透過層との間に形成されたアンカーコート層とを備えることを特徴とする請求項１または２に記載の転写材。
【請求項４】
請求項１乃至３の何れか一項に記載の転写材から転写された転写層と、該転写層の少なくとも一方の面側に物品情報又は図柄の少なくとも何れか一方が印刷されてなる印刷層とを備え、該印刷層と前記不透過層との間に前記被覆層が位置することを特徴とするラベル。
【請求項５】
シート状に形成されたラベル本体上に接着層を介して転写層が転写されてなるラベルの製造方法において、
前記ラベル本体上に形成された接着層を覆うように請求項１乃至３の何れか一項に記載の転写材をラベル本体に積層し、転写層における接着層との接触領域から該接触領域以外の非接触領域を分離させることで、ラベル本体に転写層を転写することを特徴とするラベルの製造方法。
【手続補正２】
【補正対象書類名】明細書
【補正対象項目名】００１３
【補正方法】変更
【補正の内容】
【００１３】
本発明に係るラベルは、上記何れかの転写材から転写された転写層と、該転写層の少な
くとも一方の面側に物品情報又は図柄の少なくとも何れか一方が印刷されてなる印刷層とを備え、該印刷層と前記不透過層との間に前記被覆層が位置することを特徴とする。